(57)【要約】左右方向に所定のピッチで多数形成され前後方向に延在するガイド部（７０）を有する商品陳列面（７）と、商品陳列面（７）に載置される、ガイド部（７０）にガイドされ且つ自然状態において常に前方移動状態にある商品前出し体（２）と、商品前出し体（２）により前出し状態にある陳列商品を区画する商品仕切り板（５）と、を有し、商品前出し体（２）の商品陳列面（７）との当接部又は商品陳列面（７）のいずれか一方又は両方に滑り手段を付設した。【特許請求の範囲】
【請求項１】
左右方向に所定のピッチで多数形成され前後方向に延在するガイド部を有する商品陳列面と、該商品陳列面に載置される、該ガイド部にガイドされ且つ自然状態において常に前方移動状態にある商品前出し体と、該商品前出し体の該商品陳列面との当接部又は該商品陳列面のいずれか一方又は両方に滑り手段を付設したことを特徴とする商品自動前出し棚装置。
【請求項２】
該商品前出し体により前出し状態にある陳列商品を区画する商品仕切り板を、更に備えることを特徴とする請求項１記載の商品自動前出し棚装置。
【請求項３】
該商品前出し体が、底板と、該底板から立設する商品押圧板を備えるものであることを特徴とする請求項１又は２記載の商品自動前出し棚装置。
【請求項４】
該商品陳列面を形成する陳列棚の前方に、更に商品転落防止板を付設することを特徴とする請求項１〜３のいずれか１項記載の商品自動前出し棚装置。
【請求項５】
自然状態において常に前方移動状態とする手段が、該商品陳列面を形成する陳列棚の前方端と該商品前出し体を接続する接続部材により該商品前出し体を前方へ引張る手段であるか、該陳列棚の後方端と該商品前出し体を離す方向に付勢する弾発部材により該商品前出し体を前方へ押し出す手段であるか、又は該商品陳列面を前方下り傾斜とする手段であることを特徴とする請求項１〜４のいずれか１項記載の商品自動前出し棚装置。
【請求項６】
該接続部材が、帯状鋼板又はワイヤーであることを特徴とする請求項５記載の商品自動前出し棚装置。
【請求項７】
該滑り手段が、ローラー、前後方向に延出するリブ部材又は滑り材であることを特徴とする請求項１〜６のいずれか１項記載の商品自動前出し棚装置。
【発明の詳細な説明】
【技術分野】  本発明は、スーパーなどで使用される陳列商品の前出しを容易にする商品自動前出し棚装置に関するものである。
【背景技術】  スーパー等において、陳列された商品は陳列棚の手前の方から順次売れるため、時間がたつにつれ陳列棚の手前には商品が無くなったり、ごく少量になったりする。この場合、客は陳列棚の奥の方にある商品を見逃したり、何となく取り辛かったりして、購買意欲が急速に低下し商品の売れ行きに悪い影響を及ぼすことが多くなる。これを解決するため、作業者は、奥に残っている商品を手前に移し、その後方に新しい商品を補充する作業を頻繁に行うことになる。
しかしながら、新しい商品を後方の空間へ補充する作業は、前方にある商品が邪魔をして行い難い。また、奥にある商品を手前に移すのも大変な作業となっている。近年、このような新しい商品の補充を行い易くしたり、商品を常に前出し状態にする方法や装置が種々提案されている。
例えば登録実用新案第３０４３２８８号公報には、固定されている商品陳列棚の棚全体を、ワンタッチで手前への引き出しを可能とし、陳列商品の前面への再整列、整理整頓、並びに補充業務を安全、迅速かつ正確に実施できる新器具が開示されている。この新器具は回転車を組み込んだ中継具と、既存の陳列棚支持具に相当する逆Ｌ字型基軸盤、更に２種類の器具を包み込む支持器カバーを設け、これらの器具を一体として組み込んだものである。また、商品陳列棚が前後方向に移動するのではなく、固定された商品陳列棚に商品前出し機能を有する商品前出し体を設置して、陳列商品を自動的に前に押し出すものも知られている。
【特許文献１】登録実用新案第３０４３２８８号公報（請求項１）
しかしながら、登録実用新案第３０４３２８８号公報記載の新器具は、中継具の中に回転車を組み込んでいるなど構造が複雑であり、製造コストが高いという問題がある。また、従来の商品前出し体は、前方下り傾斜の陳列面に設置され且つ錘を載せたものであるため、前方への押圧力が小さく、前後方向に多量の商品が並ぶ場合には、商品を前方へ確実に送り出すことはできなかった。
従って、本発明の目的は、商品が前後方向に多量に並ぶ場合であっても、陳列商品を自動的に確実に前に送り出す作用力があり、作業者の前出し作業の労力を軽減すると共に、顧客にとっては商品が取り出し易い商品自動前出し棚装置を提供することにある。
【発明の開示】
すなわち、本発明（１）は、左右方向に所定のピッチで多数形成され前後方向に延在するガイド部を有する商品陳列面と、該商品陳列面に載置される、該ガイド部にガイドされ且つ自然状態において常に前方移動状態にある商品前出し体と、を有し、該商品前出し体の該商品陳列面との当接部又は該商品陳列面のいずれか一方又は両方に滑り手段を付設した商品自動前出し棚装置を提供するものである。
また、本発明（２）は、該商品前出し体により前出し状態にある陳列商品を区画する商品仕切り板を、更に備える前記商品自動前出し棚装置を提供するものである。
また、本発明（３）は、該商品前出し体が、底板と、該底板から立設する商品押圧板を備えるものである前記商品自動前出し棚装置を提供するものである。
また、本発明（４）は、該商品陳列面を形成する陳列棚の前方に、更に商品転落防止板を付設する前記商品自動前出し棚装置を提供するものである。
また、本発明（５）は、自然状態において常に前方移動状態とする手段が、該商品陳列面を形成する陳列棚の前方端と該商品前出し体を接続する接続部材により該商品前出し体を前方へ引張る手段であるか、該陳列棚の後方端と該商品前出し体を離す方向に付勢する弾発部材により該商品前出し体を前方へ押し出す手段であるか、又は該商品陳列面を前方下り傾斜とする手段である前記商品自動前出し棚装置を提供するものである。
また、本発明（６）は、該接続部材が、帯状鋼板又はワイヤーである前記商品自動前出し棚装置を提供するものである。
また、本発明（７）は、該滑り手段が、ローラー、前後方向に延出するリブ部材又は滑り材である前記商品自動前出し棚装置を提供するものである。
【図面の簡単な説明】  第１図は、第１の実施の形態における商品自動前出し棚装置の分解斜視図であり、第２図は、第１図の商品自動前出し棚装置の組み付け方法を説明する図であり、第３図は、商品前出し体の斜視図であり、第４図は、第３図の商品前出し体を裏面から見た一部の斜視図であり、第５図は、第１図の陳列棚の部分拡大図であり、第６図は、商品陳列面と商品前出し体の当接状況を説明する図であり、第７図は、第２の実施の形態例の商品自動前出し棚装置で用いる陳列棚の一部を示す斜視図であり、第８図は、商品陳列面と商品前出し体の当接状況を説明する図であり、第９図は、第３の実施の形態例の商品自動前出し棚装置で用いる商品前出し体の斜視図であり、第１０図は、本例の前出し棚装置で用いる陳列棚の一部を示す斜視図であり、第１１図は、商品陳列面と商品前出し体の当接状況を説明する図であり、第１２図は、第４の実施の形態例の商品自動前出し棚装置で用いる商品前出し体の斜視図であり、第１３図は、本例の前出し棚装置で用いる陳列棚の一部を示す斜視図であり、第１４図は、商品陳列面と商品前出し体の当接状況を説明する図であり、第１５図は、第４の実施の形態例の商品自動前出し棚装置で用いる商品前出し体の斜視図であり、第１６図は、本例の前出し棚装置で用いる商品前出し体の斜視図であり、第１７図は、第１６図の商品前出し体を上下反転して示した図であり、第１８図は、第１７図において、接続部材３を引出した状態を示す図であり、第１９図は、（Ａ）は第１５図におけるＡ−Ａ断面図、（Ｂ）はＢ−Ｂ断面図、（Ｃ）はＣ−Ｃ断面図、（Ｄ）はＤ−Ｄ断面図であり、第２０図は、商品陳列面と商品前出し体の当接状況を説明する図である。
【発明を実施するための最良の形態】  次に、本発明の第１の実施の形態における商品自動前出し棚装置（以下、単に「前出し棚装置」とも言う。）を第１図〜第６図を参照して説明する。第１図は第１の実施の形態における商品自動前出し棚装置の分解斜視図、第２図は第１図の前出し棚装置の組み付け方法を説明する図、第３図は商品前出し体の斜視図、第４図は第３図の商品前出し体を裏面から見た一部の斜視図、第５図は第１図の陳列棚の部分拡大図、第６図は商品陳列面と商品前出し体の当接状況を説明する図である。本明細書において、「前」は商品を取り出す側（符号Ｘ）、すなわち顧客側を言い、「後」はその反対側（符号Ｙ）を言う。また、左右方向は前側から見た方向を示す。
第１図中、商品自動前出し棚装置１０は、左右方向に所定のピッチで多数形成され前後方向に延在するガイド部７０を有する商品陳列面７と、商品陳列面７に載置される、ガイド部７０にガイドされ且つ自然状態において常に前方移動状態にある商品前出し体２と、商品前出し体２により前出し状態にある陳列商品を区画する商品仕切り板５、５とを有し、商品前出し体２の商品陳列面側、すなわち商品前出し体２の底板２１の裏面に滑り手段であるローラー４を前後方向に多数付設し、且つ商品陳列面７上に滑り手段である前後方向に延在するリブ部材を左右に適宜のピッチで多数付設したものである。
なお、商品前出し体２の底板２１の裏面にローラー等の滑り部材を付設する形態としては、上記の他、例えば商品前出し体２の底板２１の側面に小さな車輪を付設したものであってもよい。また、本発明において、滑り手段としては、ローラー及び前後方向に延出するリブ部材の他、滑り材が挙げられる。滑り材は通常の鋼板に摩擦低減効果のある被覆剤をコーティングしたもの、フッ素系樹脂などの低摩擦材、あるいはエンボス加工面など接触面積を低減したものなどが挙げられる。
本例の商品陳列面７を形成する陳列棚９は、第５図に示すように、背の高い３つの高リブ７１と背の低い２つの低リブ７２の繰り返しから成る商品陳列面７と、商品転落防止板が係合する横係合溝８を有する前方部材９１ａとから構成される。この商品陳列面７は高リブ７１（滑り手段）を有すると共に、高リブ７１と低リブ７２との協働により後述するような商品前出し体２の前方移動をガイドするガイド部を構成する。高リブ７１の上端は尖り状とすることで、滑り易くしている。また、高リブ７１には所定ピッチ毎に商品仕切り板が係合する縦係合溝７６が形成されている。この陳列棚９は、第２図に示すように、既存の商品陳列棚５０に設置してもよく、また、新規の陳列棚を構成してもよい。また、商品陳列面７の形状は、前述の背の高い３つの高リブ７１と背の低い２つの低リブ７２の繰り返しから成るもの以外にも、例えば単一高さのリブの繰り返し構造であって、一のリブと該一のリブに隣接する他のリブ間にローラーが乗る形態であってもよい。
商品前出し体２は、平板状の底板２１と、底板２１の前方端から立設する底板２１上に載置された商品の前方移動を規制する前方部材２３と、底板１のやや中央から立設する後方傾斜面を前方に向けた商品押圧板２２と、先端に基端部３２を有し、後端を商品押圧板２２の後方側で固定する帯状鋼板３１（接続部材３）と、底板２１の底面の両側で且つ前後方向に多数付設されるローラー２９を備える。商品押圧板２２の裏面には、商品前出し体２が前方に移動するにつれ、帯状鋼板３１を巻回して収納するぜんまい収納部（不図示）を有する。なお、接続部材３が接続される箇所としては、一端が陳列棚の前方側部材であり、他方が商品前出し体２であれば特に制限されない。なお、底板２１の上面であって、商品押圧板２２の前方には載置商品の設置安定性を高めるためのリブ部材２４が前後方向に３つ付設されている。
上記の構成部材を組み立てて前出し棚装置１０を形成する。すなわち、商品陳列面７上に商品前出し体２を設置する。この場合、ローラー２９が低リブ７２上に乗るようにし、また接続部材３がローラー２９が乗る低リブ７２、７２間にある他の低リブ７２上にくるようにする（第６図参照）。すなわち、本例におけるガイド部は、一対の高リブ７１と、この高リブ７１間にある低リブ７２であって、ローラー２９の両側には高リブ７２が隣接しているため、左右方向の移動を防止して商品前出し体２の直進性を担保している。そして、接続部材３の基端部３２を商品陳列面（陳列棚）７の前方側に例えばビス固定する。これにより、商品前出し体２は、高リブ７１と低リブ７２からなるガイド部７０にガイドされ且つ自然状態において常に前方移動状態となる。
商品陳列面７の前方端には商品転落防止板６を設置し、更に陳列する商品の幅寸法に応じて左右一対の商品仕切り板５、５の後方部を嵌合溝７６に嵌め込む。商品仕切り板５、５の設置方法としては、当該方法に制限されず、例えば任意の位置に形成された嵌合穴に嵌め込む形態であってもよい。このような商品仕切り板と商品前出し体を１セットとして、適宜の個数のセットを商品陳列面７上に組み付ける。この際、商品仕切り板５は一方の商品前出し体の右側を区画すると共に、該商品前出し体の右側に隣接する商品前出し体の左側を区画する、共通物として使用してもよい。
次に、組み込まれた商品前出し棚装置１０に商品を並べる作業を行う。この作業は、商品転落防止板６と商品押圧板２２間に陳列商品を入れ込むことで行われる。当初の商品は、商品押圧板２２の手前であって且つ底板２１の上面に置かれる。この場合、商品前出し体２は動かない。次いで、商品を手前側にどんどん入れ込んでいくにつれ、商品前出し体２は後方へ下がり、底板２１の後端が陳列棚の後端に接した時点で商品の補充作業が終了する（第２図の右側の商品前出し体２）。また、通常、商品前出し体２は商品陳列面７上、左右方向に多数併設される。
商品前出し棚装置１０によれば、商品陳列面７上に載置された商品は、底板２１上に商品を載せた商品前出し体２の前方移動力により常に前出し状態にある。更に商品陳列面は上端が尖り状の高リブ７１（滑り手段）が付設されているため、商品の底面との摩擦も低減されており、前出しが一層助長されている。更に、帯状の接続部材３は、底板２１の裏面と低リブ７２間の空間に存在するため、接続部材３と底板２１との摩擦は発生せず、商品前出し体２の前方移動の障害にはならない。この状態において、顧客が手前の商品を取り出すと、商品前出し体２の前方付勢により、商品前出し体２及び残置された商品がそのまま前方移動して、商品の自動前出しを行う。なお、高リブ７１の上端は尖り断面状に限定されず、例えば平断面形状状又は半円断面形状であってもよい。
このように、商品前出し棚装置１０は、商品が前後方向に多量に並ぶ場合であっても、陳列商品を自動的に確実に前に送り出す作用力があるため、作業者の前出し作業の労力を軽減すると共に、顧客にとっては商品が取り出し易いものである。また、陳列面には商品仕切り板が係合する縦係合溝が横方向に多数付設されているため、幅寸法が異なる商品毎に横並びで且つ縦列に陳列する場合、商品の幅に見合うピッチで縦列商品毎に個別に好適な前出しができる。
次に、第２の実施の形態における商品自動前出し棚装置を第７図及び第８図を参照して説明する。第７図は本例の前出し棚装置で用いる陳列棚の一部を示す斜視図、第８図は商品陳列面と商品前出し体の当接状況を説明する図である。第７図及び第８図において、第１図〜第６図と同一構成要素には同一符号を付して、その説明を省略し、異なる点について主に説明する。すなわち、本例の前出し棚装置１０ａにおいて、第１の実施の形態における商品自動前出し棚装置１０と異なる点は、商品陳列面７の構造、商品前出し体２の底板構造及び前方移動手段である。
前出し棚装置１０ａにおいて、商品陳列面７ａは高リブ７１で形成され、更に後端には後方転落防止板９１ｂを設けている。また、商品前出し体２の底板２１の裏面は、接続部材が省略され、裏面ほぼ中央には前後方向に延在する左右方向に所定間隔離間した一対のレール状突起４２が付設されている。この一対のレール状突起４２は、設置状態において、商品陳列面７ａの２つの高リブ７１を挟み、且つ前後方向の移動が円滑に行われるものである。このため、レール状突起４２の厚みが高リブ７１間の溝幅よりも小さく、下方に延出する長さは高リブ７１間に係り止めされる程度のものである。すなわち、本例におけるガイド部は、高リブ７１であって、高リブ７１と一対のレール状突起４２との係合において商品前出し体２の前方直進移動がガイドされる。また、前方移動手段は、不図示の商品陳列面７ａを前方傾斜とする手段である。前方傾斜とする手段の具体例としては、前方下り傾斜の既存の陳列面へ陳列棚９を設置する方法、あるいは陳列棚９の後方裏面にスペーサーを介在させ、商品陳列面を前方下り傾斜とする方法などが挙げられる。
前出し棚装置１０ａは、商品前出し体２の商品陳列面７ａとの当接部及び商品陳列面の双方に、それぞれローラー４及び高リブ７１（滑り部材）が付設されており、且つ商品陳列面７ａが前方下り傾斜にあるため、前出し棚装置１０と同様の作用効果を奏する。また、高リブ７１、７１間の溝に商品仕切り板５を嵌め込めるため、掛け違いの無い、きめ細かな仕切りを行うことができる。
次に、第３の実施の形態における商品自動前出し棚装置を第９図〜第１１図を参照して説明する。第９図は本例の前出し棚装置で用いる商品前出し体の斜視図、第１０図は本例の前出し棚装置で用いる陳列棚の斜視図、第１１図は商品陳列面と商品前出し体の当接状況を説明する図である。第９図〜第１１図において、第１図〜第６図と同一構成要素には同一符号を付して、その説明を省略し、異なる点について主に説明する。すなわち、本例の前出し棚装置１０ｂにおいて、第１の実施の形態における商品自動前出し棚装置１０と異なる点は、商品陳列面の構造及び商品前出し体の底板構造である。
前出し棚装置１０ｂにおいて、商品陳列面７ｂは、前後方向の前方１／２が商品仕切り板が嵌合するリブ状の縦嵌合溝７６が多数形成されたものであり、残りが前後方向に多数付設されるローラー７３と、ローラー７３に隣接するローラー幅と概ね同じ幅の凹部７４が、左右方向に繰り返し付設されるものである。なお、第１０図の陳列棚９ｂは左右方向に連続するものであって、例えばゴンドラの陳列棚を形成する。なお、商品陳列面７ｂにおけるリブ状の縦嵌合溝７６の占める割合は上記値に限定されず、前方の１／２以下で適宜決定される。
商品前出し体２ａにおいて、第１図の商品前出し体２と主に異なる点は、底板２１のローラー４が省略され、裏面ほぼ中央には凹部２０３を設け、その両側には商品陳列面のローラー７３と当接する平坦部２０２及び両側端にはスカート部１１を設けた点にある。すなわち、商品前出し体２ａを商品陳列面７ｂに載置した場合、スカート部１１、１１は２つのローラー７３、７３の支持部７３１の両端側に位置するため、陳列面上における商品前出し体２の左右方向の移動を制限し、商品前出し体２の前方直進性を担保する。また、商品陳列面７ｂのローラー７３により、商品前出し体２の前後方向の移動が円滑に行われる。
前出し棚装置１０ｂにおいて、商品陳列面７ｂにローラー７３が付設されており、且つローラー支持部７３１がガイド部として機能するため、前出し棚装置１０と同様の作用効果を奏する。なお、前出し棚装置１０ｂにおいて、商品陳列面７ｂは上記ローラー７３が付設されたものに限定されず、例えば、第１１図において、ローラー７３を省略したリブ構造であってもよい。この場合においても、リブの上面は滑り易いものであり、且つ一のリブ部材と他のリブ部材がガイド部として機能する。
次に、第４の実施の形態における商品自動前出し棚装置を第１２図〜第１４図を参照して説明する。第１２図は本例の前出し棚装置で用いる商品前出し体の斜視図、第１３図は本例の前出し棚装置で用いる陳列棚の斜視図、第１４図は商品陳列面と商品前出し体の当接状況を説明する図である。第１２図〜第１４図において、第９図〜第１１図と同一構成要素には同一符号を付して、その説明を省略し、異なる点について主に説明する。すなわち、本例の前出し棚装置１０ｃにおいて、第３の実施の形態における商品自動前出し棚装置１０ｂと異なる点は、商品陳列面の構造及び商品前出し体の接続部材である。
前出し棚装置１０ｃの商品陳列面７ｃにおいて、前出し棚装置１０ｂの商品陳列面７ｂと異なる点は、ローラー７３、７３間の凹部に代えてリブ部材７６１とした点である。リブ部材７６１の高さは、ローラー７３の上面よりやや低くし、更にリブ部材７６１、７６１を左右に所定の隙間離間させることで縦溝を形成している。なお、第１３図の陳列棚９ｃは左右方向に連続するものであって、例えばゴンドラの陳列棚を形成する。
商品前出し体２ｂにおいて、第９図の商品前出し体２ａと異なる点は、帯状鋼板３１に代えて、ワイヤー部材３４とした点にある。すなわち、商品前出し体２ｂを商品陳列面７ｃに載置した場合、スカート部１１、１１は２つのローラー７３の支持部７３１の両側に位置して、陳列面上における商品前出し体２の左右方向の移動を制限する。また、ワイヤー部材３４がリブ部材７６１、７６１間の溝（空間）に入り、ワイヤー部材３４の移動に伴う陳列棚との摩擦が発生することを防止している。符号３４１は商品陳列面７の前方側の嵌合溝に係合する基端部である。なお、接続部材としては、帯状鋼板やワイヤー部材に限定されず、例えば布製の帯状又は線状部材やプラスチック製の帯状又は線状部材などが挙げられる。
前出し棚装置１０ｃにおいて、商品陳列面７ｃにローラー７３が付設されており、且つローラー支持部７３１がガイド部として機能するため、前出し棚装置１０ｂと同様の作用効果を奏する。
次に、第５の実施の形態における商品自動前出し棚装置を第１５図〜第２０図を参照して説明する。第１５図は本例の前出し棚装置の斜視図、第１６図は本例の前出し棚装置で用いる商品前出し体の斜視図、第１７図は第１６図の商品前出し体を上下反転して示した図、第１８図は第１７図において、帯状鋼板である接続部材３を引出した状態を示す図、第１９図（Ａ）は第１５図におけるＡ−Ａ断面図、（Ｂ）はＢ−Ｂ断面図、（Ｃ）はＣ−Ｃ断面図、（Ｄ）はＤ−Ｄ断面図、第２０図は商品陳列面と商品前出し体の当接状況を説明する図である。第１５図〜第２０図において、第１図〜第６図と同一構成要素には同一符号を付して、その説明を省略し、異なる点について主に説明する。すなわち、本例の前出し棚装置１０ｄにおいて、第１の実施の形態における商品自動前出し棚装置１０と異なる点は、商品陳列面の構造及び商品前出し体の構造である。なお、第１７図及び第１８図は商品前出し体の構造を説明するためのものであり、このように反転したものを使用することはない。
陳列棚９ｄは、陳列面７ｄと側板と補強リブからなる箱状物である。陳列棚９ｄの陳列面７ｄは前方から後方に向けて商品仕切り板５ａの脚部が係合する前方係合孔部７２０、接続部材の基端部３２ｄが係合する接続部材係合部７３０、陳列面本体部７４０、商品仕切り板の脚部が係合する後方係合部７２０の各領域を形成する。また、陳列面７ｄには前後方向に延出し左右方向に所定のピッチでリブ部材７が多数形成されている。また、リブ部材７、７間にはひとつ縦溝７５０が形成され、内部空間と連通してガイド部７０を形成している。前方係合孔部及び後方係合部７２０は、リブ部材７、７間において、左右方向に互いに隣接する３つの係合部７６が形成されている。この３つの係合部７６はそれぞれが前後方向に僅かにずれて形成され、商品仕切り板５ａの掛け違いを防止している。また、縦溝７５０の前後方向、所定のピッチで形成されている菱形の穴は成形上の都合で形成されるものである。また、縦溝７５０の接続部材係合部７３０の後方に形成されるやや幅広の縦溝は、商品前出し体２ｄの係合片１１ｄを陳列棚９ｄに設置する際、嵌め易くしたものである。また、陳列面本体部７４０のほぼ中間にも商品仕切り板の脚部が係合する中間係合部７２０が形成されている。
商品前出し体２ｄは、基台２１１の前方端から上方へ延出した商品押圧板からなる全体が略Ｌ字形断面の箱状物である。基台２１１の底部２２２の裏側はリブ部材により３つの裏側収容部を形成している。中央収容部には不図示の軸受けに軸支される帯状鋼板巻取り巻き出し部３５が収容され、両側の収容部には前後回転ローラー４、４がそれぞれ収容されている。また、前後回転ローラー４、４間には縦溝７５０に嵌合する嵌合片１１ｄａが付設されている。
陳列棚９ｄに商品前出し体２ｄを設置するには、接続部材（帯状鋼板）３の基端部３２ｄを陳列棚９ｄの接続部材係合部７３０に係合させると共に、商品前出し体２ｄの係合片１１ｄを幅広部分の縦溝７５０に係合させる。これにより、商品前出し体２ｄの回転ローラ４はリブ部材７、７間の平坦面に載置された状態となる。この状態において、商品前出し体２ｄは陳列棚９ｄの前方側に常に前方移動状態となっている。商品前出し体２ｄは必要個数、陳列棚９ｄに設置される（第２０図）。なお、本例の前出し棚装置１０ｄにおいて、商品仕切り板５ａは必要に応じて使用される。陳列棚９ｄに商品仕切り板５ａを設置するには、商品仕切り板５ａの前方脚部５１ａを前方係合孔部７２０に、中間脚部５１ｂを中間係合孔部７２０に、後方脚部５１ｃを後方係合孔部７２０に係合させればよい。前方係合孔部、中間係合孔部及び後方係合孔部７２０は、左右方向に密に配置されると共に、３つの係合穴が僅かに前後方向の位置を変えており、特段の注意をしなくとも掛け違えることがない。組み込まれた商品前出し棚装置１０ｄに商品を並べる作業などは商品前出し棚装置１０の場合と同じである。
なお、本発明において、自然状態において常に前方移動状態とする手段は、上記の商品陳列面７を形成する陳列棚９の前方端と商品前出し体２を接続する接続部材に限定されず、例えば、陳列棚９の後方端と商品前出し体２を離す方向に付勢するスプリングバネにより該商品前出し体を前方へ押し出す方法であってもよい。
【産業上の利用可能性】  本発明の商品自動前出し棚装置は、スーパーやドラッグストアなどで用いれば、商品が前後方向に多量に並ぶ場合であっても、陳列商品を自動的に確実に前に送り出す作用力があり、作業者の前出し作業の労力を軽減すると共に、顧客にとっては商品が取り出し易いものである。また、幅寸法が異なる商品毎に横並びで且つ縦列に陳列する場合、商品の幅に見合うピッチで縦列商品毎に個別に好適な前出しができる。
【図１】
2006027871.tif 000002
【図２】
2006027871.tif 000003
【図３】
2006027871.tif 000004
【図４】
2006027871.tif 000005
【図５】
2006027871.tif 000006
【図６】
2006027871.tif 000007
【図７】
2006027871.tif 000008
【図８】
2006027871.tif 000009
【図９】
2006027871.tif 000010
【図１０】
2006027871.tif 000011
【図１１】
2006027871.tif 000012
【図１２】
2006027871.tif 000013
【図１３】
2006027871.tif 000014
【図１４】
2006027871.tif 000015
【図１５】
2006027871.tif 000016
【図１６】
2006027871.tif 000017
【図１７】
2006027871.tif 000018
【図１８】
2006027871.tif 000019
【図１９】
2006027871.tif 000020
【図２０】
2006027871.tif 000021
【国際調査報告】
2006027871.tif 000022
2006027871.tif 000023
2006027871.tif 000024
2006027871.tif 000025